(57)【要約】【課題】利用者が、気軽に、かつ、充分に思い出にひたることができる表示具を提供する。【解決手段】表示具１は、略平板状の第１の部材２と、略平板状の第２の部材３を備える。第２の部材３の縁部の一つは、接続部４を介して第１の部材２の縁部の一つに接続されている。第２の部材３は、接続部４を中心に揺動方向１５に揺動することができる。第１の部材２は、故人の肖像画２Ａを保持板２Ｂで保持している。表示具１は、肖像画に表された故人に関連する画像を表示可能な表示部５を備える。画像はメモリーカード７に記録されている。【選択図】図１
2015150321.tif 000002
【特許請求の範囲】
【請求項１】
被保持物を可視可能な状態で保持可能な第１の部材と、
前記被保持物に関連した情報である被保持物関連情報を記録可能な記録部と、
前記第１の部材に一部が接続された、かつ、同第１の部材との接続箇所を中心に揺動可能な第２の部材と、
該第２の部材に取付けられた、かつ、前記記録部に記録された前記被保持物関連情報を表示可能な表示部とを備える
表示具。
【請求項２】
前記被保持物関連情報を受信可能な受信部を備え、
前記表示部は、該受信部が受信した前記被保持物関連情報を表示可能である
請求項１に記載の表示具。
【請求項３】
前記記録部は、所定の日付に対応させて被保持物関連情報を記録可能であり、
日付を計時可能な計時部と、
該計時部が所定の日付を計時した場合に、計時された日付に対応して記録された前記被保持物関連情報を前記表示部に表示させることが可能な制御部とを備える
請求項１または請求項２に記載の表示具。
【請求項４】
前記被保持物関連情報を送信可能な送信部を備え、
前記制御部は、前記計時部が所定の日付を計時した場合に、計時された日付に対応して記録された前記被保持物関連情報を前記送信部に送信させることが可能である
請求項３に記載の表示具。
【請求項５】
所定の基準に基づいて、前記被保持物に関連した行事を行なう予定の日付である被保持物関連行事予定日を算出可能な算出部を備え、
前記表示部は、該算出部が算出した被保持物関連行事予定日を表示可能である
請求項１、請求項２、請求項３または請求項４に記載の表示具。
【発明の詳細な説明】
【技術分野】
【０００１】
本発明は表示具に関する。詳しくは、例えば故人を偲ぶための表示具に係るものである。
【背景技術】
【０００２】
亡くなった人を懐かしんだり、忘れないようにしたりするために、亡くなった人の写真を写真立てに入れて、棚などの上に飾っておくことが行なわれている。
【０００３】
また、飾られる写真が故人の写真であれば、花などを供えることもあり、このような供え物のためのスペースを確保できる写真立てが望まれていた。
【０００４】
そこで、例えば特許文献１には、図３に示すような、写真枠体１０１と、土台部１０２と、載置棚１０３から構成された写真立て１００が記載されている。
また、写真枠体１０１は、平板の上部を開口した四方のフレーム１０４（１０４Ａ、１０４Ｂ、１０４Ｃ、１０４Ｄ）と、フレーム１０４の開口の内側に装着されたガラス１０５からなる。
また、載置棚１０３は、故人の好物などが載置される略Ｕ字形状の平板である。また、載置棚１０３は、３枚の載置部材（１０３Ａ、１０３Ｂ、１０３Ｂ）を組み立てて作製されている。
【先行技術文献】
【特許文献】
【０００５】
【特許文献１】特開２００６−２９７１６１号公報
【発明の概要】
【発明が解決しようとする課題】
【０００６】
しかしながら、特許文献１に記載の写真立ては、載置棚に故人の好物などを載置しているので持ち運びに適しておらず、外出先で気軽に共通の知人などと思い出にひたることが困難であった。
また、特許文献１に記載の写真立ては、写真枠体に入れられる写真の変化に乏しいので、徐々に写真立てを見る回数が減っていきやすく、充分に思い出にひたることができるとは言えなかった。
【０００７】
本発明は、以上の点に鑑みて創案されたものであり、利用者が、気軽に、かつ、充分に思い出にひたることができる表示具を提供することを目的とする。
【課題を解決するための手段】
【０００８】
上記の目的を達成するために、本発明の表示具は、被保持物を可視可能な状態で保持可能な第１の部材と、前記被保持物に関連した情報である被保持物関連情報を記録可能な記録部と、前記第１の部材に一部が接続された、かつ、同第１の部材との接続箇所を中心に揺動可能な第２の部材と、該第２の部材に取付けられた、かつ、前記記録部に記録された前記被保持物関連情報を表示可能な表示部とを備える。
【０００９】
ここで、被保持物に関連した情報である被保持物関連情報を記録可能な記録部によって、多くの被保持物関連情報を記録しておくことができる。
また、本発明で言う「被保持物に関連した情報」とは、被保持物の表示内容に関連した情報を意味する。
【００１０】
また、第１の部材と、第１の部材に一部が接続された、かつ、第１の部材との接続箇所を中心に揺動可能な第２の部材とによって、閉じたり開いたりすることができる。
【００１１】
また、第２の部材に取付けられた、かつ、記録部に記録された被保持物関連情報を表示可能な表示部によって、被保持物関連情報を利用者の所望の時期に表示させることができる。
【００１２】
また、本発明の表示具は、被保持物関連情報を受信可能な受信部を備え、表示部は、受信部が受信した被保持物関連情報を表示可能であるものとすることができる。
【００１３】
この場合、表示させる被保持物関連情報を増やして、本発明の表示具を利用者独自のものにすることができる。
【００１４】
さらに、本発明の表示具は、記録部が、所定の日付に対応させて被保持物関連情報を記録可能であり、日付を計時可能な計時部と、計時部が所定の日付を計時した場合に、計時された日付に対応して記録された被保持物関連情報を表示部に表示させることが可能な制御部とを備えるものとすることができる。
【００１５】
この場合、当時のことを利用者に思い起こさせることができる。
【００１６】
また、本発明の表示具は、被保持物関連情報を送信可能な送信部を備え、制御部は、計時部が所定の日付を計時した場合に、計時された日付に対応して記録された被保持物関連情報を送信部に送信させることが可能であるものとすることができる。
【００１７】
この場合、利用者が本発明の表示具の近くにいなくても、利用者に当時のことを思い起こさせることができる。
【００１８】
また、本発明の表示具は、所定の基準に基づいて、被保持物に関連した行事を行なう予定の日付である被保持物関連行事予定日を算出可能な算出部を備え、表示部は、算出部が算出した被保持物関連行事予定日を表示可能であるものとすることができる。
また、本発明で言う「被保持物に関連した行事」とは、被保持物の表示内容に関連した行事を意味する。
【００１９】
この場合、被保持物に関連した行事を行なう日付を、利用者に知らせることができる。
【発明の効果】
【００２０】
本発明に係る表示具によって、利用者は、気軽に、かつ、充分に思い出にひたることができる。
【図面の簡単な説明】
【００２１】
【図１】本発明を適用した表示具の一例を示す概略図である。
【図２】本発明を適用した表示具が備える器体の内部構成の一例を示すブロック図である。
【図３】従来の写真立てを示す概略図である。
【発明を実施するための形態】
【００２２】
以下、本発明の実施の形態について図面を参照しながら説明し、本発明の理解に供する。
図１は、本発明を適用した表示具の一例を示す概略図である。また、図２は、本発明を適用した表示具が備える器体の内部構成の一例を示すブロック図である。
【００２３】
図１に示す本発明の表示具１は、略平板状の第１の部材２を備える。
また、第１の部材２の一方の面には、故人の肖像画２Ａを間に挟んで保持板２Ｂが取付けられている。すなわち、第１の部材２は、故人の肖像画２Ａを保持板２Ｂで保持している。
【００２４】
ここで、保持板２Ｂの略中央領域には、保持板２Ｂの対向する２つの面を貫通する貫通口２Ｃが形成されている。そして、故人の肖像画２Ａは、貫通口２Ｃと対応する位置に配置されている。
【００２５】
従って、利用者は、貫通口２Ｃを通して故人の肖像画２Ａを視認することができる。すなわち、第１の部材２は、故人の肖像画２Ａを可視可能な状態で保持している。
また、故人の肖像画は、被保持物の一例である。
【００２６】
また、本発明の表示具１は、略平板状の第２の部材３を備える。
また、第２の部材３の一部、すなわち第２の部材３の縁部の一つは、接続部４を介して第１の部材２の縁部の一つに接続されている。
また、第２の部材３は、接続部４を中心に揺動方向１５に揺動することができる。
【００２７】
すなわち、本発明の表示具１は、書籍のように閉じたり開いたりすることができる。
【００２８】
また、第２の部材３の一方の面には、箱型の器体６が取付けられている。
また、器体６は、肖像画に表された故人に関連する画像を記録したメモリーカード７と、同じく肖像画に表された故人に関連する画像を記録したハードディスク８を有する。
すなわち、本発明の表示具１は、メモリーカード７とハードディスク８を備える。
また、「肖像画に表された故人に関連する画像」は、以下、「故人関連画像」と称する。
【００２９】
ここで、故人関連画像は、被保持物関連情報の一例である。
また、故人関連画像は、静止画像および動画像であり、動画像には音声も含まれる。
また、メモリーカードおよびハードディスクは記録部の一例である。
【００３０】
また、本発明の表示具は、必ずしもメモリーカードとハードディスクの両方を備えていなくてもよく、どちらか一方でもよい。
【００３１】
また、故人関連画像としては、例えば、故人の通夜もしくは告別式の様子の写真や、生前の故人とその家族との写真が、音楽と共に順次表示される動画像が挙げられる。
【００３２】
また、器体６は、メモリーカード７やハードディスク８に記録された故人関連画像を表示可能な表示部５を有する。すなわち、本発明の表示具１は、表示部５を備える。
【００３３】
また、器体６は、は、電源のオンおよびオフの切替えや、早送りや、音量の調整などの操作を利用者が行なうときに使用される操作ボタン５Ａを備える。すなわち、本発明の表示具１は、操作ボタン５Ａを備える。
【００３４】
また、器体６は、故人関連画像を赤外線通信などの近距離通信で利用者の携帯端末から受信可能な受信部９を有する。すなわち、本発明の表示具１は、受信部９を備える。
また、表示部５は、受信部９が受信した故人関連画像を表示する。
また、受信部９が受信した故人関連画像は、メモリーカード７またはハードディスク８に記録される。
【００３５】
ここで、受信部は、必ずしも赤外線通信などの近距離通信で受信しなくてもよく、例えば専用サーバを介して受信することもできる。
【００３６】
また、例えば利用者は、利用者と故人とが一緒に写った写真や、利用者と故人とが一緒に撮影されて得られた動画像を携帯端末から本発明の表示具１へ送信できる。
従って利用者は、表示させる故人関連画像を増やして、本発明の表示具１を利用者独自のものとすることができ、その結果、利用者は故人との思い出に浸りやすくなる。
【００３７】
また、メモリーカード７およびハードディスク８は、故人の誕生日や故人の結婚記念日など所定の日付に対応させて故人関連画像を記録している。
【００３８】
また、器体６は、日付を計時可能な計時部１０を有する。すなわち、本発明の表示具１は、日付を計時可能な計時部１０を備える。
【００３９】
また、器体６は、計時部１０が所定の日付を計時した場合に、計時された日付に対応して記録された故人関連画像を表示部５に表示させることが可能な制御部１１を有する。すなわち、本発明の表示具１は、制御部１１を備える。
【００４０】
その結果、故人に関連する記念日が到来するたびに、利用者は、当時のことを思い起こすことができる。
【００４１】
また、器体６は、故人関連画像を、専用サーバを介して利用者の携帯端末へ送信可能な送信部１２を有する。すなわち、本発明の表示具１は、送信部１２を備える。
【００４２】
また、制御部１１は、計時部１０が所定の日付を計時した場合に、計時された日付に対応して記録された故人関連画像を送信部１２に送信させることが可能である。
【００４３】
その結果、利用者は、例えば外出していて本発明の表示具の近くにいなくても、故人に関連する記念日が到来すれば、当時のことを思い起こすことができる。
【００４４】
また、器体６は、所定の基準に基づいて、肖像画に表された故人に関連した行事を行なう予定の日付である故人関連行事予定日を算出可能な算出部１３を有する。すなわち、本発明の表示具１は、算出部１３を備える。
ここで、故人関連行事予定日は、被保持物関連行事予定日の一例である。
【００４５】
また、表示部５は、算出部１３が算出した故人関連行事予定日を表示可能である。このとき、故人関連行事が行われる施設の所在地や電話番号なども併せて表示可能である。
【００４６】
例えば、利用者は、本発明の表示具１に故人の亡くなった年月日を入力すれば、算出部１３が三回忌や七回忌などの法要の予定日を算出し、表示部５が、法要の予定日と、法要が行われるお寺の所在地および電話番号などを表示する。
【００４７】
従って、利用者は、故人の亡くなった年月日を本発明の表示具に入力するだけで、法要の予定日と法要が行われる施設を知ることができる。
【００４８】
また、器体６は、外部に一部が露出したＵＳＢポート１４を有する。すなわち、本発明の表示具１は、ＵＳＢポート１４を備える。
【００４９】
従って、ＵＳＢポート１４とテレビなどの表示装置とをＵＳＢケーブなどで接続することで、例えば、メモリーカード７やハードディスク８に記録された故人関連画像をテレビの大画面に表示させ、法要の時に、故人と親しかった人達と一緒に故人を偲ぶことができる。
【００５０】
ここで、本発明の表示具は、必ずしも受信部を備えていなくてもよい。
しかし、本発明の表示具が受信部を備えていれば、表示させる被保持物関連情報を増やして、本発明の表示具を利用者独自のものにすることができるので好ましい。
【００５１】
また、本発明の表示具は、必ずしも計時部と制御部を備えていなくてもよい。
しかし、本発明の表示具が計時部と制御部を備えていれば、当時のことを利用者に思い起こさせることができるので好ましい。
【００５２】
また、本発明の表示具は、計時部や制御部に加えて、必ずしも送信部まで備えていなくてもよい。
しかし、本発明の表示具が、計時部や制御部に加えて送信部まで備えていれば、利用者が本発明の表示具の近くにいなくても、利用者に当時のことを思い起こさせることができるので好ましい。
【００５３】
また、本発明の表示具は、必ずしも算出部を備えていなくてもよい。
しかし、本発明の表示具が、算出部を備え、表示部が、算出部の算出した被保持物関連行事予定日を表示可能であれば、被保持物に関連した行事を行なう日付を、利用者に知らせることができるので好ましい。
【００５４】
また、以上の説明では、故人の肖像画を被保持物の例として挙げたが、必ずしも被保持物はこれに限定されるものではないことは勿論である。
被保持物の他の例として、故人の写真、赤ちゃんの肖像画、赤ちゃんの写真、結婚した夫婦の写真、または、結婚した夫婦の肖像画を挙げることができる。
【００５５】
被保持物が赤ちゃんの肖像画や写真であれば、利用者は、赤ちゃんが成長していく過程を撮影した写真や動画像を携帯端末から本発明の表示具１へ送信して、メモリーカード７やハードディスク８に記録し、表示部５で表示させることで、本発明の表示具１を子供の成長記録として利用できる。
【００５６】
以上のように、本発明の表示具は、被保持物に関連した情報である被保持物関連情報を記録可能な記録部を備えているので、多くの被保持物関連情報を記録しておくことができる。
【００５７】
また、本発明の表示具は、第１の部材と、第１の部材に一部が接続された、かつ、第１の部材との接続箇所を中心に揺動可能な第２の部材とを備えているので、書籍のように閉じたり開いたりすることができる。
【００５８】
また、本発明の表示具は、第２の部材に取付けられた、かつ、記録部に記録された被保持物関連情報を表示可能な表示部を備えているので、被保持物関連情報を利用者の所望の時期に表示させることができる。
【００５９】
従って、利用者は、書籍のように本発明の表示具を閉じて持ち運ぶことができ、本発明の表示具によって、利用者は、気軽に、かつ、充分に思い出にひたることができる。
【符号の説明】
【００６０】
１    表示具
２    第１の部材
２Ａ  故人の肖像画
２Ｂ  保持板
２Ｃ  貫通口
３    第２の部材
４    接続部
５    表示部
５Ａ  操作ボタン
６    器体
７    メモリーカード
８    ハードディスク
９    受信部
１０    計時部
１１    制御部
１２    送信部
１３    算出部
１４    ＵＳＢポート
１５    揺動方向
【図１】
2015150321.tif 000003
【図２】
2015150321.tif 000004
【図３】
2015150321.tif 000005